(57)【要約】【課題】 ケーブルの固定効果が低く、ケーブルが外れることがあった。また、ケーブルを固定するのみで、液晶テレビジョンのキャビネットの強度を上げることはできなかった。【解決手段】 スピーカ５０から延出するケーブル６０を、前面壁２０の内側の配線系路上に形成された各係止リブ７０にジグザグ状に係止し、フロントキャビネット１０とリアキャビネット８０とを組み合わせて係止リブ７０と係止リブ嵌合部１１０とを嵌合させる。その結果、ケーブル６０は、配線経路上に強固に固定されるとともに、係止リブ７０から外れることが確実に防止され、さらに、嵌合状態となった係止リブ７０と係止リブ嵌合部１１０とが補強リブの役割を果たし、液晶テレビジョンを構成するテレビジョンキャビネットの強度を向上させる。【選択図】  図５
2005130097.tif 000002
【特許請求の範囲】
【請求項１】
フロントキャビネットとリアキャビネットとによって構成されるテレビジョンキャビネット内に収容するスピーカから延出するケーブルを、同フロントキャビネットの内側の所定位置に固定する液晶テレビジョンにおいて、
同フロントキャビネットは、同フロントキャビネットの前面壁に対し略垂直に立設して互いの間に一定の隙間を形成して略直線上に並ぶ三片のリブ片から構成され、同隙間に同ケーブルをジグザグ状に係止することにより同ケーブルを固定する係止リブを、同前面壁内側の複数箇所に備え、
各リブ片は、先端に近付く程に先細りとなる形状であるとともに、中央に位置するリブ片の高さが両隣のリブ片より高く形成され、かつ、同隙間に同ケーブルをジグザグ状に係止した際に同ケーブルが通過しない側の壁面に、各リブ片が同壁面の側に傾倒することを抑制する支持部材を有し、
同リアキャビネットは、同フロントキャビネットの後方に装着された際に同係止リブと相対する複数箇所に、同中央に位置するリブ片の先端から所定距離分、各リブ片を内部に収容して同係止リブと嵌合する係止リブ嵌合部を備えることを特徴とする液晶テレビジョン。
【請求項２】
テレビジョンキャビネット内部に配線されるケーブルを、同テレビジョンキャビネット内部の所定位置に固定するパネル表示型テレビジョンであって、
同テレビジョンキャビネットは、同テレビジョンキャビネットの内側に、複数のリブ片が互いに一定の隙間を形成して略直線上に並ぶことにより構成され、同隙間に同ケーブルをジグザグ状に係止して同ケーブルを固定する係止リブを備えるとともに、
同係止リブと相対する同テレビジョンキャビネットの内側の所定部位には、同係止リブと嵌合する係止リブ嵌合部を備えることを特徴とするパネル表示型テレビジョン。
【請求項３】
上記リブ片は、上記隙間に同ケーブルをジグザグ状に係止した際に同ケーブルが通過しない側の壁面に、各リブ片が同壁面の側に傾倒することを抑制する支持部材を有することを特徴とする請求項２に記載のパネル表示型テレビジョン。
【請求項４】
上記係止リブは、三片のリブ片から構成され、中央に位置するリブ片の高さが両隣のリブ片より高く形成されることを特徴とする請求項２または請求項３のいずれかに記載のパネル表示型テレビジョン。
【請求項５】
上記リブ片は、先端に近付く程に先細りとなる形状であることを特徴とする請求項２〜請求項４のいずれかに記載のパネル表示型テレビジョン。
【請求項６】
複数のリブ片が互いに一定の隙間を形成して略直線上に並ぶことにより構成され、同隙間にケーブルをジグザグ状に係止して同ケーブルを固定し、各リブ片には、同隙間に同ケーブルをジグザグ状に係止した際に同ケーブルが通過しない側の壁面に、各リブ片が同壁面の側に傾倒することを抑制する支持部材が形成される係止リブを備えることを特徴とするテレビジョンキャビネット。
【請求項７】
上記係止リブは、三片のリブ片から構成され、中央に位置するリブ片の高さが両隣のリブ片より高く形成されることを特徴とする請求項６に記載のテレビジョンキャビネット。
【請求項８】
上記リブ片は、先端に近付く程に先細りとなる形状であることを特徴とする請求項６または請求項７のいずれかに記載のテレビジョンキャビネット。
【発明の詳細な説明】
【技術分野】
【０００１】
本発明は、液晶テレビジョン、パネル表示型テレビジョンおよびテレビジョンキャビネットに関し、特に、内部に配線されるケーブルを所定位置に固定する液晶テレビジョン、パネル表示型テレビジョンおよびテレビジョンキャビネットに関する。
【背景技術】
【０００２】
従来、液晶テレビジョンなどの内部に配線されるケーブルを固定する場合、所望の位置に配線したケーブルの上からテレビジョンキャビネットの内側に対して不織布等を貼り付けて固定していた。
【０００３】
また、ケーブルを固定する構造として、配列方向に直行する線での断面がコ字形またはＵ字形のケーブル係止部と、このコ字形またはＵ字形の一端部を切除したケーブル掛入部とを備えた少なくとも三個以上の係止片が、基板に一定間隔を介してジグザグ状に配列されており、隣接する係止片の上記ケーブル掛入部を互いに反対側に位置させてなるケーブル止め具が知られている（例えば、特許文献１参照。）。
かかるケーブル止め具においては、各係止片の掛入部からケーブルを係止部内に掛入して、ケーブルを固定する。
【０００４】
ケーブルを固定する他の構造として、板状のベースの一方の面上に、少なくとも３列の横列を有するマトリックス状に棒状の摩擦体を突設させたケーブルホルダを備えたケーブル保持機構が知られている（例えば、特許文献２参照。）。
かかるケーブル保持機構においては、ケーブルを、縦に配列した上記摩擦体を縫うように波形に屈曲させて係合して配線し、ケーブルの外周面と摩擦体の外周面間の摩擦抵抗により、ケーブルをケーブルホルダに保持されるようにしている。また、止め板を摩擦体の先端付近に固定することで、ケーブルが摩擦体の先端側に引っ張られても、ケーブルがホルダ素子体から脱落することを防止している。
【特許文献１】実開平１‐９５７８５号公報
【特許文献２】特開平７‐２１２０５７号公報
【発明の開示】
【発明が解決しようとする課題】
【０００５】
上述したように、ケーブルの固定に不織布等を用いる場合、部品点数が増えてコスト高となり、作業者が固定位置を間違えた場合などに貼り直すと、更なるコスト増と作業時間の増加を招来するという課題があった。
また、テレビジョンキャビネットの軽量化と強度の向上を実現するために、テレビジョンキャビネットの内側の表面上に網目状の凸凹を形成することがある。かかる網目状の凸凹が形成された面にケーブルを固定する際、不織布を用いると、接着面積が少ないために不織布による固定効果が低く、ケーブルが強固に固定されない場合があった。よって、テレビジョンキャビネットの軽量化と強度の向上を図ると同時に、ケーブルを確実に固定するには、不織布以外の固定手段が求められていた。  
【０００６】
ここで、上記特許文献１においては、掛入部が開放されているため、ケーブルがいずれかの係止片から外れることがあり、ケーブルがいずれかの係止片から外れると、ケーブルの固定効果が低下してしまうという課題があった。
一方、上記特許文献２においては、ケーブルが係止される摩擦体と、上記止め板とは直接嵌合していない。従って、ケーブルが係止される部位と、同部位に相対する部位とを嵌合させてテレビキャビネットの強度を補わせることはできないという課題があった。
【０００７】
本発明は、上記課題にかんがみてなされたもので、低コストでケーブルを所望の位置に確実に固定できるとともに、高い強度を有する液晶テレビジョン、パネル表示型テレビジョンおよびテレビジョンキャビネットを提供することを目的とする。
【課題を解決するための手段】
【０００８】
上記目的を達成するため、請求項１にかかる発明は、フロントキャビネットとリアキャビネットとによって構成されるテレビジョンキャビネット内に収容するスピーカから延出するケーブルを、同フロントキャビネットの内側の所定位置に固定する液晶テレビジョンにおいて、同フロントキャビネットは、同フロントキャビネットの前面壁に対し略垂直に立設して互いの間に一定の隙間を形成して略直線上に並ぶ三片のリブ片から構成され、同隙間に同ケーブルをジグザグ状に係止することにより同ケーブルを固定する係止リブを、同前面壁内側の複数箇所に備え、各リブ片は、先端に近付く程に先細りとなる形状であるとともに、中央に位置するリブ片の高さが両隣のリブ片より高く形成され、かつ、同隙間に同ケーブルをジグザグ状に係止した際に同ケーブルが通過しない側の壁面に、各リブ片が同壁面の側に傾倒することを抑制する支持部材を有し、同リアキャビネットは、同フロントキャビネットの後方に装着された際に同係止リブと相対する複数箇所に、同中央に位置するリブ片の先端から所定距離分、各リブ片を内部に収容して同係止リブと嵌合する係止リブ嵌合部を備える構成としてある。
【０００９】
上記のように構成した請求項１にかかる発明においては、液晶テレビジョンは、フロントキャビネットとリアキャビネットとによって構成されるテレビジョンキャビネット内にスピーカを収容しており、同スピーカから延出するケーブルを、同フロントキャビネットの内側の所定位置に固定する。同ケーブルは、同テレビジョンキャビネットに収容される電子部品と同スピーカを接続するものであるが、同ケーブルはある程度の長さを有している。そのため、途中で弛んだり、他の構成部品の邪魔にならないように、同ケーブルをフロントキャビネットの内側の所定位置に固定し、同スピーカと同電子部品との間に適切に配線する必要がある。
【００１０】
そこで、同フロントキャビネットは、同フロントキャビネットの前面壁に対し略垂直に立設して互いの間に一定の隙間を形成して略直線上に並ぶ三片のリブ片から構成される係止リブを、同前面壁内側の複数箇所に備えている。そして、係止リブを構成する三片のリブ片の隙間に同ケーブルをジグザグ状に係止することにより同ケーブルを固定する。すなわち、同ケーブルは、隣接しあうリブ片の互いに反対方向を向く壁面の前を通過して係止される。同係止リブに係止されてジグザグ状に屈曲した同ケーブルは、各隙間を通過する部分で、各隙間の両側に立設するリブ片と複数部位で当接し合う。従って、同ケーブルが引張り力を受けても、かかる複数部位に生じる同ケーブルとリブ片との摩擦抵抗により、同ケーブルの係止位置のずれが防止される。すなわち、同ケーブルを同係止リブに係止することで、同ケーブルは、同フロントキャビネットの内側の所定位置に強固に固定される。
【００１１】
また、同ケーブルを同フロントキャビネットに固定する際、係止リブは、できるだけ同ケーブルを係止しやすい形状であると、作業者は容易に同ケーブルを同フロントキャビネットに固定でき、作業効率が上がる。そこで、同係止リブを構成するリブ片は、先端に近付く程に先細りとなる形状であり、中央に位置するリブ片の高さが両隣のリブ片より高く形成されている。すなわち、リブ片の幅がその高さ位置に拘わらず一定であるよりも、先端に近付くに連れて先細りとなる方が、作業者は、リブ片間に形成された隙間に、同ケーブルを係止しやすい。また、三片のリブ片のうち、中央に位置するリブ片が両隣のリブ片より高く形成されていると、作業者は、同中央に位置するリブ片の先端に同ケーブルを引っ掛けるようにして、容易に同中央に位置するリブ片の両脇に形成された隙間に同ケーブルを係止することができる。
【００１２】
上述したように、係止リブに同ケーブルをジグザグ状に係止すると、同ケーブルは隣接しあうリブ片の互いに反対方向を向く壁面の前を通過することになる。そして、各リブ片を支持する部材を何ら設けない場合、各リブ片は、各リブ片の壁面前を通過する同ケーブルによって、三片のリブ片が並ぶ方向と略直交する方向への力を受け、同ケーブルが通過しない側の壁面方向にいくらか傾倒してしまう。つまり、各リブ片を支持する部材を設けない場合、三片のリブ片において隣接するリブ片同士が、互い違いの方向にいくらか傾倒してしまう。そこで、各リブ片は、同ケーブルをジグザグ状に係止した際に同ケーブルが通過しない側の壁面に、各リブ片が同壁面の側に傾倒することを抑制する支持部材を有している。その結果、同支持部材によって、隣接する各リブ片が互い違いの方向に傾倒することが抑制され、一つの係止リブを構成する各リブ片の先端位置の略直線性が保持される。各リブ片の先端位置の略直線性を保つことは、後述するように、係止リブと係止リブ嵌合部とを嵌合させる際に重要な意味を持つ。
【００１３】
上記構成によって、作業者は、容易に同ケーブルを係止リブに係止することが可能であるとともに、同ケーブルは、同フロントキャビネットの内側の所定位置に強固に固定される。本願発明は更に、同ケーブルが係止リブから外れることを確実に防止する構成を有している。同リアキャビネットは、同フロントキャビネットの後方に装着された際に同係止リブと相対する複数箇所に、同中央に位置するリブ片の先端から所定距離分、各リブ片を内部に収容して同係止リブと嵌合する係止リブ嵌合部を備えている。すなわち、同フロントキャビネットの後方に同リアキャビネットを装着すれば、同係止リブと同係止リブ嵌合部とが嵌合するため、同係止リブに係止された同ケーブルは外れることが不可能となる。また、フロントキャビネットの内側と相対する係止リブ嵌合部の先端部が、係止リブに係止する同ケーブルをフロントキャビネットの後方から押圧するため、同ケーブルは、更に強固に同フロントキャビネットの内側の所定位置に固定されることになる。
なお、上記支持部材によって、係止リブを構成する各リブ片の先端位置の略直線性が保持されているため、同係止リブ嵌合部に対する各リブ片の位置はずれることなく、同係止リブ嵌合部は、各リブ片を確実に内部に収容することができる。
【００１４】
さらに、上記フロントキャビネットに形成された係止リブと上記リアキャビネットに形成された係止リブ嵌合部とが嵌合することにより、上記液晶テレビジョンを構成するテレビジョンキャビネットの強度が向上するという効果もある。すなわち、嵌合状態となった係止リブと係止リブ嵌合部は、スピーカから延出するケーブルを、上記フロントキャビネットの内側の所定位置に確実に固定する役割と、テレビジョンキャビネットの強度を向上させる補強リブの役割とを同時に果たす。
【００１５】
なお、フロントキャビネットの前面壁内側の複数箇所に予め形成された係止リブにケーブルを係止すればよいので、従来の、不織布を貼り付けて同ケーブルを固定する場合に生じていた、固定位置を間違えてやり直すということがなくなる。その結果、ケーブルの固定作業の効率が上がり、同時に、不織布を必要としない分、低コストで液晶テレビジョンを製造することができる。かかる固定作業の効率化と低コスト化という効果は、請求項２以下の発明にも共通する。
【００１６】
請求項２にかかる発明は、テレビジョンキャビネット内部に配線されるケーブルを、同テレビジョンキャビネット内部の所定位置に固定するパネル表示型テレビジョンであって、同テレビジョンキャビネットは、同テレビジョンキャビネットの内側に、複数のリブ片が互いに一定の隙間を形成して略直線上に並ぶことにより構成され、同隙間に同ケーブルをジグザグ状に係止して同ケーブルを固定する係止リブを備えるとともに、同係止リブと相対する同テレビジョンキャビネットの内側の所定部位には、同係止リブと嵌合する係止リブ嵌合部を備える構成としてある。
【００１７】
上記のように構成した請求項２にかかる発明においては、パネル表示型テレビジョンは、テレビジョンキャビネット内部に配線されるケーブルを、同テレビジョンキャビネット内部の所定位置に固定する。同テレビジョンキャビネットは、その内側に、複数のリブ片が互いに一定の隙間を形成して略直線上に並ぶことにより構成される係止リブを備えている。そして、複数のリブ片が形成する隙間に同ケーブルをジグザグ状に係止することにより、同ケーブルを同テレビジョンキャビネット内部の所定位置に固定する。請求項１にかかる発明と同様に、ジグザグ状に屈曲した同ケーブルは、各隙間を通過する部分で、各隙間の両側に立設するリブ片と複数部位で当接し合う。その結果、同ケーブルが引張り力を受けても、かかる複数部位に摩擦抵抗が生じ、同ケーブルの係止位置のずれが防止される。すなわち、同ケーブルを同係止リブに係止することで、同ケーブルは、同テレビジョンキャビネット内部の所定位置に強固に固定される。
【００１８】
また、同係止リブと相対する同テレビジョンキャビネットの内側の所定部位には、同係止リブと嵌合する係止リブ嵌合部が形成されている。同係止リブと同係止リブ嵌合部とが嵌合することによって、同係止リブに係止した同ケーブルは、同係止リブから外れることが不可能となる。さらに、同係止リブと嵌合した同係止リブ嵌合部は、その先端部で同係止リブに係止した同ケーブルを押圧するため、同ケーブルは、より強固に同テレビジョンキャビネット内部の所定位置に固定される。加えて、嵌合状態となった同係止リブと同係止リブ嵌合部は、パネル表示型テレビジョンを構成するテレビジョンキャビネットの強度を向上させる補強リブの役割を果たす。
【００１９】
請求項３にかかる発明は、上記請求項２に記載のパネル表示型テレビジョンにおいて、上記リブ片は、上記隙間に同ケーブルをジグザグ状に係止した際に同ケーブルが通過しない側の壁面に、各リブ片が同壁面の側に傾倒することを抑制する支持部材を有する構成としてある。
【００２０】
上記のように構成した請求項３にかかる発明においては、上記係止リブを構成する各リブ片は、上記隙間に同ケーブルをジグザグ状に係止した際に同ケーブルが通過しない側の壁面に、各リブ片が同壁面の側に傾倒することを抑制する支持部材を有する。係止リブに上記ケーブルをジグザグ状に係止すると、上記ケーブルは隣接しあうリブ片の互いに反対方向を向く壁面の前を通過するため、各リブ片は上記ケーブルから、三片のリブ片が並ぶ方向と略直交する方向への力を夫々受ける。そこで、各リブ片は上記支持部材を備え、上記ケーブルから受ける力によって上記ケーブルが通過しない側の壁面方向に傾倒することを抑制している。その結果、上記係止リブを構成する各リブ片の先端位置の略直線性が保持されるため、上記係止リブ嵌合部に対する各リブ片の位置がずれることなく、上記係止リブと上記係止リブ嵌合部とが確実に嵌合する。
【００２１】
請求項４にかかる発明は、上記請求項２または請求項３のいずれかに記載のパネル表示型テレビジョンにおいて、上記係止リブは、三片のリブ片から構成され、中央に位置するリブ片の高さが両隣のリブ片より高く形成される構成としてある。
【００２２】
上記のように構成した請求項４にかかる発明においては、上記係止リブは、三片のリブ片から構成され、中央に位置するリブ片の高さが両隣のリブ片より高く形成される。上記係止リブを構成するリブ片の数は任意の数を採用可能であるが、三片とすれば上記隙間が二箇所形成されるため、上記ケーブルをジグザグ状に係止することができ、上記ケーブルが強固に固定される。
また、三片のリブ片の中央に位置するリブ片を両隣のリブ片より高く形成すれば、作業者は、同中央に位置するリブ片の先端に同ケーブルを引っ掛けるようにして、容易に同中央に位置するリブ片の両脇に形成された隙間に同ケーブルを係止することができる。
【００２３】
請求項５にかかる発明は、上記請求項２〜請求項４のいずれかに記載のパネル表示型テレビジョンにおいて、上記リブ片は、先端に近付く程に先細りとなる形状である構成としてある。
上記のように構成した請求項５にかかる発明においては、上記リブ片の形状は、先端に近付く程に先細りとなる。すなわち、上記リブ片の幅がその高さ位置に拘わらず一定であるよりも、先端に近付くに連れて先細りとなる方が、作業者は、リブ片間に形成された隙間に上記ケーブルを係止しやすい。
【００２４】
以上では、上記係止リブ及び上記係止リブ嵌合部を有する液晶テレビジョンまたはパネル表示型テレビジョンの発明について説明を行ってきたが、上記ケーブルを単独で係止可能な上記係止リブを備えるテレビジョンキャビネットも有用な発明として成立する。
そこで、請求項６にかかる発明は、複数のリブ片が互いに一定の隙間を形成して略直線上に並ぶことにより構成され、同隙間にケーブルをジグザグ状に係止して同ケーブルを固定し、各リブ片には、同隙間に同ケーブルをジグザグ状に係止した際に同ケーブルが通過しない側の壁面に、各リブ片が同壁面の側に傾倒することを抑制する支持部材が形成される係止リブを備える構成としてある。すなわち、上記請求項３にかかるパネル表示型テレビジョンが有する係止リブを備えるテレビジョンキャビネットも、一つの有用な発明として成立する。
【００２５】
請求項７にかかる発明は、上記請求項６に記載のテレビジョンキャビネットにおいて、上記係止リブは、三片のリブ片から構成され、中央に位置するリブ片の高さが両隣のリブ片より高く形成される構成としてある。すなわち、上記請求項４にかかるパネル表示型テレビジョンが有する係止リブを備えるテレビジョンキャビネットも、一つの有用な発明として成立する。
【００２６】
請求項８にかかる発明は、上記請求項６または請求項７のいずれかに記載のテレビジョンキャビネットにおいて、上記リブ片は、先端に近付く程に先細りとなる形状である構成としてある。すなわち、上記請求項５にかかるパネル表示型テレビジョンが有する係止リブを備えるテレビジョンキャビネットも、一つの有用な発明として成立する。
【発明の効果】
【００２７】
以上説明したように、請求項１にかかる発明によれば、スピーカから延出するケーブルを、フロントキャビネットの内側の所定位置において、容易かつ低コストで、外れることなく強固に固定可能であるとともに、強度の高い液晶テレビジョンを提供することができる。
また、請求項２にかかる発明によれば、ケーブルをテレビジョンキャビネットの内側の所定位置において、低コストで、外れることなく強固に固定可能であるとともに、強度の高いパネル表示型テレビジョンを提供することができる。
さらに、請求項３にかかる発明によれば、係止リブと係止リブ嵌合部とを確実に嵌合させることができる。
さらに、請求項４、請求項５、請求項７、請求項８にかかる発明によれば、作業者は、容易にケーブルを係止リブに係止することができる。
さらに、請求項６にかかる発明によれば、低コストで、ケーブルを強固に固定可能であるとともに、係止リブ嵌合部に対して係止リブを確実に嵌合させることが可能なテレビジョンキャビネットを提供することができる。
【発明を実施するための最良の形態】
【００２８】
図１は、本願発明の一実施形態にかかる液晶テレビジョンを構成するフロントキャビネットとリアキャビネットとを斜視図により示している。
同図においては、フロントキャビネット１０及びリアキャビネット８０を後方から示している。フロントキャビネット１０の前面壁２０の略中央には、開口４０が形成されている。開口４０には、表示面を前方に向けた、図示しない液晶表示パネルが取り付けられる。前面壁２０の上下左右の縁部からは、後方に向かって、側壁３０が延設している。
また、前面壁２０の内側の左右位置には、スピーカ５０が夫々配設されており、各スピーカ５０からは、ケーブル６０が夫々延出している。
【００２９】
本実施形態においては、前面壁２０の内側にケーブル６０の配線経路を取り、同配線経路上の複数箇所に係止リブ７０を設けている。そして、同図に示すように、各スピーカ５０から延出したケーブル６０を、配線経路上の各係止リブ７０にジグザグ状に係止することにより、ケーブル６０を、前面壁２０の内側において固定している。
【００３０】
一方、フロントキャビネット１０の後方に装着されるリアキャビネット８０は、上記前面壁２０の内側と相対する背面壁９０を有している。同背面壁９０の上下左右の縁部からは、側壁１００が前方に向かって延出している。また、背面壁９０の前面壁２０と相対する側の面上であって、上記係止リブ７０と相対する複数箇所には、係止リブ嵌合部１１０が形成されている。各係止リブ嵌合部１１０は、背面壁９０に対して略垂直に立設しており、リアキャビネット８０がフロントキャビネット１０の後方に装着された際に、夫々相対する係止リブ７０と嵌合する。
【００３１】
図２は、一つの係止リブ７０を斜視図により示している。
同図に示すように、係止リブ７０は、前面壁２０に対して略垂直に立設する略板状の第一リブ片７１と、第一リブ片７１の両隣に一定の隙間ｄを隔てて前面壁２０に対して略垂直に立設する、二つの略板状の第二リブ片７２とから構成される。第一リブ片７１および第二リブ片７２は、ケーブル６０の配線経路方向に並んでいる。第一リブ片７１は、その高さが、第二リブ片７２よりも高く形成されている。また、第一リブ片７１、第二リブ片７２ともに、先端に近付く程に先細りとなる形状をしている。
【００３２】
第一リブ片７１が両隣の第二リブ片７２よりも高く形成されることにより、作業者は、第一リブ片７１の先端にケーブル６０を引っ掛けるようにして隙間ｄにケーブル６０を通過させ、容易にケーブル６０を係止リブ７０に係止することができる。また、各リブ片が先端に近付く程に先細りとなる形状をしていることも、ケーブル６０を係止する作業の効率を高める。すなわち、各リブ片の先端付近では隙間ｄが広くなっているため、作業者は、容易に隙間ｄにケーブル６０をジグザグ状に通して、ケーブル６０を係止リブ７０に係止することができる。
【００３３】
また、同図に示すように、各リブ片は、隣接し合うリブ片における反対方向を向く壁面側に、支持部材７３を備えている。すなわち、第一リブ片７１の両隣に位置する第二リブ片７２が備える支持部材７３は同一の方向を向き、第一リブ片７１が備える支持部材７３と第二リブ片７２が備える支持部材７３は反対方向を向く。ここで、支持部材７３は、ケーブル６０の配線経路方向と略直交する方向での断面が略直角三角形である形状をしている。また、支持部材７３は、各リブ片の一方の壁面および前面壁２０に二つの面を当接させることにより、前面壁２０の内側上で各リブ片を支持している。
【００３４】
ケーブル６０を係止リブ７０にジグザグ状に係止すると、各リブ片は、各リブ片のいずれか一方の壁面前を通過するケーブル６０によって、同ケーブル６０が通過しない側の壁面方向への力を受ける。支持部材７３が各リブ片を支持しない場合は、かかるケーブル６０から受ける力によって、隣接しあう各リブ片が、互い違いの方向へ傾倒することになる。そこで、各リブ片は、隣接し合うリブ片における反対方向を向く壁面側に支持部材７３を備え、係止リブ７０にケーブル６０をジグザグ状に係止した際に、各リブ片がケーブル６０が通過しない側の壁面方向に傾倒することを抑制している。従って、作業者は、各リブ片の壁面のうち、支持部材７３が形成されていない壁面側をケーブル６０が通過するように、ケーブル６０を係止リブ７０にジグザグ状に係止する。
【００３５】
図３は、フロントキャビネット１０の一部を後方から示している。
同図に示すように、前面壁２０の内側における、ケーブル６０の配線経路上の複数箇所に係止リブ７０が形成されている。ケーブル６０は各係止リブ７０にジグザグ状に係止されており、一つの係止リブ７０における二箇所の隙間ｄを通過する部分で、第一リブ片７１及び第二リブ片７２と夫々当接する。このように、ケーブル６０は、隙間ｄを通過する部分で第一リブ片７１及び第二リブ片７２と夫々当接するため、引張り力を受けても、かかる当接部分に生じる第一リブ片７１及び第二リブ片７２との摩擦抵抗により、係止位置のずれが防止される。すなわち、ケーブル６０を一つの係止リブ７０に係止しても、ケーブル６０は前面壁２０の内側の所定位置に強固に固定されると言え、配線経路上に形成された各係止リブ７０にケーブル６０を係止すると、ケーブル６０は、前面壁２０の内側の配線経路上に、きわめて強固に固定される。
【００３６】
また、上述したように、各リブ片のケーブル６０が通過しない側の壁面には支持部材７３が備えられているため、係止リブ７０にケーブル６０をジグザグ状に係止しても、各リブ片がケーブル６０が通過しない側の壁面方向に傾倒することが抑制される。その結果、一つの係止リブ７０を構成する第一リブ片７１及び第二リブ片７２の配線経路方向への略直線性が保持される。
【００３７】
なお、係止リブ７０の形成される方向や数は図示したものに限られず、所望の配線経路上に、所望の数だけ形成すればよい。また、係止リブ７０を構成する各リブ片の数や形状も図示したものに限られないことは言うまでもない。ただし、係止リブ７０は前面壁２０の内側に立設するため、係止リブ７０を構成する突出体として前面壁２０と接する面積が広い形状のものを採用すると、前面壁２０の表側にヒケなどが発生することがあり、適当でない。
【００３８】
図４は、リアキャビネット８０に形成される係止リブ嵌合部１１０を斜視図により示している。上述したように、係止リブ嵌合部１１０は、背面壁９０の前面壁２０と相対する側の面上であって、上記係止リブ７０と相対する複数箇所に形成されている。係止リブ嵌合１１０は、その全体は、略直方体の形状をした突出体であり、前面壁２０の内側と相対する側の面（以下、前端面１１３）に、第一リブ片７１及び第二リブ片７２を内部に案内するための凹部を形成する。凹部は、前端面１１３の略中央に形成された嵌合凹部１１１と、嵌合凹部１１１の両隣に形成された嵌合凹部１１２とからなり、嵌合凹部１１１および嵌合凹部１１２は、ケーブル６０の配線経路方向に並んでいる。
【００３９】
係止リブ嵌合部１１０は、リアキャビネット８０が、フロントキャビネット１０の後方に装着された際に、嵌合凹部１１１内に第一リブ片７１の一部を収容し、嵌合凹部１１２内に第二リブ片７２の一部を収容することで、係止リブ７０と嵌合する。ここで、図５は、ケーブル６０が係止された係止リブ７０と係止リブ嵌合部１１０とが嵌合した状態を示している。
【００４０】
図５に示すように、嵌合凹部１１１，１１２は、第一リブ片７１の先端から所定距離分、第一リブ片７１または第二リブ片７２を、夫々内部に収容している。支持部材７３によって第一リブ片７１及び第二リブ片７２の先端位置の配線経路方向への略直線性が保持されているため、第一リブ片７１，第二リブ片７２の先端位置は夫々、嵌合凹部１１１，１１２の開口に向いている。従って、フロントキャビネット１０の後方にリアキャビネット８０を装着すると、係止リブ７０と係止リブ嵌合部１１０とが確実に嵌合する。
【００４１】
また、第一リブ片７１及び第二リブ片７２は、先端に近付く程に先細りとなる形状であるため、第一リブ片７１の先端の配線経路方向の長さは、嵌合凹部１１１の開口の配線経路方向の長さより短く、第二リブ片７２の先端の配線経路方向の長さは、嵌合凹部１１２の開口の配線経路方向の長さより短い。従って、フロントキャビネット１０の後方からリアキャビネット８０を近づけた際に、係止リブ７０に対する係止リブ嵌合部１１０の位置が配線経路方向に若干ずれていても、第一リブ片７１，第二リブ片７２は、嵌合凹部１１１，１１２の内部に夫々収容される。すなわち、第一リブ片７１及び第二リブ片７２を、先端に近付く程に先細りとなる形状にすることで、作業者がケーブル６０を係止リブ７０に係止しやすいだけでなく、係止リブ７０と係止リブ嵌合部１１０とを嵌合させやすいという効果も生み出す。さらに、各嵌合凹部１１１，１１２の開口部分を、前端面１１３から所定距離だけ各嵌合凹部１１１，１１２の奥に位置する箇所から各嵌合凹部１１１，１１２の開口に向かって末広がりとなる形状としてもよい。各嵌合凹部１１１，１１２の開口部分を末広がり形状とすれば、かかる末広がり形状部分に当接した各第一リブ片７１，第二リブ片７２を容易に各嵌合凹部１１１，１１２の内部に案内することができる。
【００４２】
このように係止リブ７０と係止リブ嵌合部１１０とを嵌合させると、各リブ片の先端側が完全に塞がれるため、ケーブル６０が係止リブ７０から外れることを確実に防止することができる。また、係止リブ７０と嵌合した係止リブ嵌合部１１０は、前端面１１３で、係止リブ７０にジグザグ状に係止したケーブル６０を押圧する。すなわち、係止リブ７０と係止リブ嵌合部１１０とを嵌合させると、ケーブル６０は、前面壁２０と前端面１１３によって両側から挟まれることになり、もともと強固に係止リブ７０に係止されていたケーブル６０を、前面壁２０の配線経路上に一層強固に固定することができる。
【００４３】
なお、必ずしも前端面１１３がケーブル６０に接触する位置まで、係止リブ７０と係止リブ嵌合部１１０とを深く嵌合させる必要はない。係止リブ７０にジグザグ状に係止された状態でも、ケーブル６０は強固に固定されているし、前端面１１３によってケーブル６０を外から強く圧迫しない方がよい場合もあるからである。この場合、係止リブ７０と係止リブ嵌合部１１０とをどの程度深く嵌合させるかは、嵌合凹部１１１および嵌合凹部１１２の開口の配線経路方向の長さを変えることによって調節できる。上述の通り、第一リブ片７１及び第二リブ片７２は、先端に近付く程に先細りとなる。嵌合凹部１１１および嵌合凹部１１２の開口の配線経路方向の長さを短く形成すれば、係止リブ７０と係止リブ嵌合部１１０とを浅く嵌合させただけで、嵌合凹部１１１および嵌合凹部１１２の開口の配線経路方向の長さと第一リブ片７１および第二リブ片７２の配線経路方向の長さが一致し、その位置で、前端面１１３の前面壁２０方向への進行が止まる。
【００４４】
一方、嵌合凹部１１１および嵌合凹部１１２の開口の配線経路方向の長さを長く形成すれば、係止リブ７０と係止リブ嵌合部１１０とを深く嵌合させた位置で、嵌合凹部１１１および嵌合凹部１１２の開口の配線経路方向の長さと、第一リブ片７１および第二リブ片７２の配線経路方向の長さが一致し、前端面１１３の前面壁２０方向への進行が止まる。なお、嵌合凹部１１１および嵌合凹部１１２の開口の配線経路方向の長さを変える場合に限られず、第一リブ片７１及び第二リブ片７２の形状について、先端が徐々に先細りとなっていく際の変化の割合を変えることによっても、係止リブ７０と係止リブ嵌合部１１０との嵌合の深さを調節できる。
【００４５】
係止リブ７０と係止リブ嵌合部１１０とを嵌合させると、さらに、フロントキャビネット１０とリアキャビネット８０とで構成するテレビジョンキャビネット全体の強度を向上させることができる。一般に、テレビジョンキャビネットの内側には、テレビジョンキャビネットの強度を保つためのリブやボスが複数形成される。本実施形態に係るフロントキャビネット１０及びリアキャビネット８０にも、図示しない補強用のリブやボスが複数形成される。そして、これら図示しない補強用のリブやボスに加えて、嵌合状態となった係止リブ７０及び係止リブ嵌合部１１０が補強リブの役割を果たし、テレビジョンキャビネットの強度がより向上する。あるいは、係止リブ７０及び係止リブ嵌合部１１０が補強リブの役割を果たすことで、テレビジョンキャビネットの一定の強度を確保できる場合は、テレビジョンキャビネットの補強のためだけに他の場所に設けられていたリブやボスの数を減らすことも可能となる。
【００４６】
係止リブ嵌合部１１０の形状は、図４、５に示したものに限られない。そこで、図６は、リアキャビネット８０に形成される係止リブ嵌合部１２０を斜視図により示している。係止リブ嵌合部１２０も、係止リブ嵌合部１１０と同様に、背面壁９０の前面壁２０と相対する側の面上であって、係止リブ７０と相対する複数箇所に形成される。係止リブ嵌合部１２０は、係止リブ嵌合部１１０と異なり、前面壁２０の内側と相対する側の面に、配線経路方向に長い嵌合凹部１２１を一つ形成する。すなわち、第一リブ片７１および第二リブ片７２の三片のリブ片が、ともに同嵌合凹部１２１に収容される。この場合であっても、各リブ片の先端側が完全に塞がれるため、ケーブル６０が係止リブ７０から外れることを確実に防止することができる。また、第一リブ片７１および第二リブ片７２が嵌合凹部１２１に収容されて嵌合状態となった係止リブ７０及び係止リブ嵌合部１２０が補強リブの役割を果たし、テレビジョンキャビネットの強度がより向上する。
【００４７】
さらに、係止リブ嵌合部の形状としては、上記係止リブ嵌合部１１０を三つに分割した形状のものが考えられる。すなわち、前面壁２０の内側と相対する側の面に夫々一つの嵌合凹部を形成する三個の突出体からなる係止リブ嵌合部１３０としてもよい。図７は、かかる係止リブ嵌合部１３０を斜視図により示している。フロントキャビネット１０の後方にリアキャビネット８０を装着した際に、係止リブ嵌合部１３０は、突出体１３１に形成された嵌合凹部１３１ａに係止リブ７０の第一リブ片７１を収容し、突出体１３２に形成された嵌合凹部１３２ａに係止リブ７０の第二リブ片７２を収容して係止リブ７０と嵌合する。
【００４８】
このように、スピーカ５０から延出するケーブル６０を、前面壁２０の内側の配線系路上に形成された各係止リブ７０にジグザグ状に係止し、フロントキャビネット１０とリアキャビネット８０とを組み合わせて係止リブ７０と係止リブ嵌合部１１０とを嵌合させる。その結果、ケーブル６０は、配線経路上に強固に固定されるとともに、係止リブ７０から外れることが確実に防止され、さらに、嵌合状態となった係止リブ７０と係止リブ嵌合部１１０とが補強リブの役割を果たし、液晶テレビジョンを構成するテレビジョンキャビネットの強度を向上させる。
【図面の簡単な説明】
【００４９】
【図１】液晶テレビジョンを構成するフロントキャビネットとリアキャビネットとを示した斜視図である。
【図２】係止リブを示した斜視図である。
【図３】フロントキャビネットの一部を後方から示した図である。
【図４】係止リブ嵌合部を示した斜視図である。
【図５】ケーブルが係止された係止リブと、係止リブ嵌合部とが嵌合した状態を示した図である。
【図６】係止リブ嵌合部の他の例を示した斜視図である。
【図７】係止リブ嵌合部の他の例を示した斜視図である。
【符号の説明】
【００５０】
１０…フロントキャビネット
２０…前面壁
３０…側壁
４０…開口
５０…スピーカ
６０…ケーブル
７０…係止リブ
７１…第一リブ片
７２…第二リブ片
７３…支持部材
８０…リアキャビネット
９０…背面壁
１００…側壁
１１０…係止リブ嵌合部
１１１，１１２…嵌合凹部
１１３…前端面
１２０…係止リブ嵌合部
１２１…嵌合凹部
１３０…係止リブ嵌合部
１３１，１３２…突出体
１３１ａ，１３２ａ…嵌合凹部
【図１】
2005130097.tif 000003
【図２】
2005130097.tif 000004
【図３】
2005130097.tif 000005
【図４】
2005130097.tif 000006
【図５】
2005130097.tif 000007
【図６】
2005130097.tif 000008
【図７】
2005130097.tif 000009